(57)【要約】【課題】火災時等の非常時に、簡単かつ迅速に窓障子を開放させることができる窓障子の開放機構を提供する。【解決手段】連結桿の上下動に連動して開閉する窓障子６の開放機構であって、前記連結桿は、上側の第１連結桿８と、下側の第２連結桿９と、第１連結桿と第２連結桿とを連結する連結部材１０と、からなり、窓障子６は、第１連結桿８の上下動に連動して開閉する。第１連結桿８は、付勢手段によって、窓障子６を開放させる方向に付勢されていると共に、通常時には連結部材１０によって、前記付勢手段による第１連結桿８の移動が規制されている。連結部材１０は、第１連結桿８あるいは第２連結桿９に連結解除可能に連結されている。竪枠２には、室内側からの操作で前記連結解除を行って全閉姿勢にある窓障子６を開放するための非常時開放手段が設けてある。【選択図】図８
2011074662.tif 000002
【特許請求の範囲】
【請求項１】
窓開口部の少なくとも一方の竪枠に沿って上下動可能に設けた連結桿の上下動に連動して開閉する窓障子の開放機構であって、
前記連結桿は、上側の第１連結桿と、下側の第２連結桿と、第１連結桿と第２連結桿とを連結する連結部材と、からなり、通常時には、第１連結桿、第２連結桿、連結部材が一体で全閉姿勢の第１の高さ位置と全開姿勢の第２の高さ位置との間で上下動し、
窓障子は、第１連結桿の上下動に連動して開閉するように当該第１連結桿に連結されており、
第１連結桿は、付勢手段によって、窓障子を開放させる方向に付勢されていると共に、通常時には、第１連結桿と第２連結桿とを連結する連結部材によって、前記付勢手段による第１連結桿の移動が規制されており、
前記竪枠の室内側には、第２連結桿を上下動させるように当該第２連結桿に連結された開閉操作部が設けてあり、通常時には、開閉操作部の操作によって、第１連結桿、第２連結桿、連結部材を一体で上下動させることで窓障子を開閉し、
前記連結部材は、第１連結桿あるいは第２連結桿に、非常開放手段により連結解除可能に連結されており、非常開放手段により前記連結解除を行なうことで第１連結桿と第２連結桿とを切り離して、全閉姿勢にある窓障子を開放するように構成されている、
窓障子の開放機構。
【請求項２】
非常時開放直後において、第１連結桿は、第２の高さ位置まで移動しているのに対して、第２連結桿は、第１の高さ位置にあり、
開閉操作部の操作により、第１の高さ位置にある第２連結桿を、第２の高さ位置まで移動させることで前記連結解除を連結状態に復帰させるように構成されている、
請求項１に記載の窓障子の開放機構。
【発明の詳細な説明】
【技術分野】
【０００１】
本発明は、窓開口部の少なくとも一方の竪枠に沿って上下動可能に設けた連結桿の上下動に連動して開閉するように構成されている窓障子の開放機構に関するものである。１つの典型的な態様では、本発明は、窓開口部の上側に通気用の窓障子を設け、下側を固定窓とした窓装置に適用される。
【背景技術】
【０００２】
戸建住宅、オフィスビルやマンション等において、窓開口部の上側に横すべり出し窓（オーニング窓）やルーバー窓等の窓障子を設置し、下側に透明ないし半透明のガラスを嵌めた固定窓を設ける場合がある。上側の窓障子は、主として室内外の通気に用いられる。
【０００３】
このような窓開口部の上側の窓障子としては、窓開口部の少なくとも一方の竪枠に沿って上下動可能に設けた連結桿の上下動に連動して開閉するように構成されている、いわゆる横すべり出し窓が当業者によく知られている。横すべり出し窓については、特許文献１、特許文献２にも開示されており、横すべり出し窓の基本的な構成や窓障子の動きについてはこれらの文献を参照することができる。
【０００４】
横すべり出し窓における窓障子の開閉は、操作部のハンドルの回転操作（ハンドルを手で掴んでぐるぐる回すこと）によって、連結桿を少しずつ上動あるいは下動させて窓障子を徐々に開閉させるものであるため、火災時等の非常時に全閉状態にある窓障子を開放させて排煙を行なおうとしても、窓障子を全開状態とするまでには時間を要し、迅速な窓障子の開放、排煙を行なうことができなかった。
【特許文献１】特開２００４−２９３０８５
【特許文献２】特開２００７−６３８２４
【発明の開示】
【発明が解決しようとする課題】
【０００５】
本発明は、火災時等の非常時に、簡単かつ迅速に窓障子を開放させることができる窓障子の開放機構を提供することを目的とするものである。
【課題を解決するための手段】
【０００６】
本発明が採用した技術手段は、
窓開口部の少なくとも一方の竪枠に沿って上下動可能に設けた連結桿の上下動に連動して開閉する窓障子の開放機構であって、
前記連結桿は、上側の第１連結桿と、下側の第２連結桿と、第１連結桿と第２連結桿とを連結する連結部材と、からなり、通常時には、第１連結桿、第２連結桿、連結部材が一体で全閉姿勢の第１の高さ位置と全開姿勢の第２の高さ位置との間で上下動し、
窓障子は、第１連結桿の上下動に連動して開閉するように当該第１連結桿に連結されており、
第１連結桿は、付勢手段によって、窓障子を開放させる方向に付勢されていると共に、通常時には、第１連結桿と第２連結桿とを連結する連結部材によって、前記付勢手段による第１連結桿の移動が規制されており、
前記竪枠の室内側には、第２連結桿を上下動させるように当該第２連結桿に連結された開閉操作部が設けてあり、通常時には、開閉操作部の操作によって、第１連結桿、第２連結桿、連結部材を一体で上下動させることで窓障子を開閉し、
前記連結部材は、第１連結桿あるいは第２連結桿に、非常開放手段により連結解除可能に連結されており、非常開放手段により前記連結解除を行なうことで第１連結桿と第２連結桿とを切り離して、全閉姿勢にある窓障子を開放するように構成されている、窓障子の開放機構、である。
【０００７】
１つの態様では、連結部材の下端は、第２連結桿の上方部位に回動可能に連結されており、連結部材の上方部位は、通常時には、前記第１連結桿の下方部位に連結解除可能に連結されている。
１つの態様では、連結部材の上方部位と第１連結桿の下方部位とは係脱可能に連結されている。連結部材は、第１連結桿の下方部位との係止状態を維持する方向に付勢されており、通常時には、連結部材の上方部位が第１連結桿の下方部位に係止することで、前記付勢手段による第１連結桿の移動が規制されている。
より具体的には、前記第１連結桿の下方部位と前記連結部材の上方部位のいずれか一方には係止突起、他方には係止突起を受け入れる係止凹部が設けてあり、通常時には、係止突起が係止凹部内に位置する係止状態にあり、前記付勢手段による第１連結桿の移動が規制されている。非常時開放手段によって、連結部材の上方部位を押し出すことで係止状態が解除される。
連結部材の上方部位を第１連結桿の下方部位と連結解除可能（係脱可能）とすることに代えて、連結部材の下方部位を第２連結桿の上方部位と連結解除可能（係脱可能）としてもよい。この場合、非常時開放手段は、連結部材の下方部位に作用して連結解除を行なう。
【０００８】
１つの態様では、前記非常時開放手段は、前記竪枠に、室内側からの操作で前記連結解除を行って全閉姿勢にある窓障子を開放するように設けられる。
１つの態様では、非常時開放手段は、解除ピンと、非常時開放スイッチと、からなる。前記竪枠には、窓障子が全閉姿勢にある時に、第１の高さ位置にある連結部材の連結解除可能部位（上方部位ないし下方部位）に対応する高さに位置して解除ピンが出没可能に設けてあり、前記竪枠の室内側には、非常時に窓障子を開放するための非常時開放スイッチが設けてある。非常時開放スイッチの操作によって前記解除ピンを突出させて第１の高さ位置にある連結部材の連結解除可能部位を押し出して連結解除を行ない、第１の高さ位置にある第１連結桿の前記移動規制を解除し、前記付勢手段によって第１の高さ位置にある第１連結桿が窓障子を開放させる方向に第２の高さ位置まで移動して窓障子を開放する。
１つの態様では、連結部材は、下端が回動基端となっており、上方部位が室内側へ回動する方向（連結部材の上方部位と第１連結桿の下方部位が係止する方向）に付勢されている。非常時開放スイッチによって解除ピンを回動付勢に抗して室外側へ突出させて連結部材の上方部位を室外側へ押し出して連結部材の上方部位と第１連結桿の下方部位との係止状態を解除させて、前記付勢手段による第１連結桿の移動規制を解除する。
また、非常時開放手段は、手動で連結解除を行なうものに限定されない。１つの態様では、煙感知器からの信号により作動するアクチュエータ（例えば、ソレノイド）を用いて連結解除を行なってもよい。例えば、ソレノイドを用いて解除ピンを突出させてもよい。
【０００９】
１つの態様では、窓障子は第１連結桿の下動に連動して全閉姿勢から全開姿勢へと回動し、第１連結桿の上動に連動して全開姿勢から全閉姿勢へと回動する。前記付勢手段は、第１連結桿を下方に移動させる方向に付勢するものである。
後述する実施形態では、前記付勢手段は、第１連結桿の下方部位と第２連結桿の上方部位との間に連結されたコイルスプリングからなる圧縮バネである、圧縮バネは第１連結桿を下方へ引っ張るように作用する。
前記付勢手段は、第１連結桿に常に下方に移動しようとする力を作用させる手段であればよく、第１連結桿の上端と上枠との間に伸長バネを設けて、第１連結桿を下方に押圧するようにしてもよい。
第１連結桿の付勢手段としては、バネ部材や、ダンパを用い得ることが当業者に理解される。
【００１０】
１つの態様では、非常時開放直後において、第１連結桿は、第２の高さ位置まで移動しているのに対して、第２連結桿は、第１の高さ位置にあり、
開閉操作部の操作により、第１の高さ位置にある第２連結桿を、第２の高さ位置までの移動させることで前記連結解除を連結状態に復帰させるように構成されている。第２の高さ位置において、第１連結桿、第２連結桿、連結部材が一体化され、その後は、通常の開閉操作が可能となる。
連結部材は、第１連結桿との連結が解除可能である場合には、第２連結桿と共に移動し、第２連結桿との連結が解除可能である場合には、第１連結桿と共に移動する。
【００１１】
典型的な態様では、窓障子は、１つあるいは複数の障子を備えた横すべり出し窓、あるいは、複数のルーバー片を備えたルーバーである。
窓障子は下方側が室外側に突出状に回動する横すべり出し窓、ルーバー窓に限定されるものではなく、例えば、連結桿の上下動に連動して、窓障子の下側を回動支点として上側が回動するものでもよい。この場合、第１連結桿の上動に連動して窓障子が開放し、第１連結桿の下動に連動して窓障子が閉鎖する。第１連結桿の付勢手段が作用する方向も、上記の態様とは逆であり、すなわち、第１連結桿に常に上方に移動しようとする力を作用させるものとなる。
【発明の効果】
【００１２】
本発明では、通常時には、開閉操作部の操作によって窓障子を開閉操作することができ、火災時等の非常時には、非常時開放手段による簡単な操作で窓障子を迅速に全開させて排煙を行なうことができる。
【００１３】
非常時開放後には、開閉操作部の操作によって連結が解除された連結部材を再び連結させて元の状態に復帰させることができる。
【図面の簡単な説明】
【００１４】
【図１】本発明の実施形態に係る窓装置の外観姿図（左）、内観姿図（右）を示している。
【図２】図１の窓装置の横断面図であり、上側の第１障子の部分の断面図である。
【図３】図１の窓装置の横断面図であり、下側の第２障子の部分の断面図である。
【図４】図１の窓装置の横断面図であり、連結部材の部分の断面図である。
【図５】図１の窓装置の縦断面図であり、上側の第１障子が全閉状態にある場合を示している。第１連結桿、連結部材、第２連結桿は、第１の高さ位置にある。ハンドルは「閉」方向に回し切った状態にある。
【図６】図１の窓装置の縦断面図であり、上側の第１障子が全開状態（通常時）にある場合を示している。第１連結桿、連結部材、第２連結桿は、第２の高さ位置にある。ハンドルは「開」方向に回し切った状態にある。
【図７】図１の窓装置の縦断面図であり、上側の第１障子が全開状態（非常時）にある場合を示している。第１連結桿は、第２の高さ位置にあり、第２連結桿、連結部材は、第１の高さ位置にある。ハンドルは「閉」方向に回し切った状態にある。
【図８】非常時開放による、全閉状態から全開状態までの動作を説明する図である。
【図９】非常時全開状態からの復帰動作を説明する図である。
【図１０】連結部材の他の形態を示す図であり、図１０において、第１連結桿、連結部材、第２連結桿は、第１の高さ位置と第２の高さ位置の中間にある。
【発明を実施するための形態】
【００１５】
本発明の実施形態を図面に基づいて詳細に説明する。図１は、窓装置の外観姿図、内観姿図を示しており、窓装置は、上枠１と、左右の竪枠２、３と、下枠４と、からなる窓枠を備えており、窓枠の高さ方向の中途部位には、開口幅方向に延出する段窓無目５が設けてある。窓開口部には、段窓無目５の上側に位置して第１障子６が設けてあり、段窓無目５の下側に位置して第２障子７が設けてある。竪枠２の室内側には、第１障子６の開閉操作部Ｓ、非常時開放スイッチ１２が設けてある。非常時開放スイッチ１２は、操作者が容易に操作できるような高さ（普通に手が届く高さ）に位置している。図示の態様では、第１障子６は、横すべり出し窓の障子であり、第２障子７は、固定窓である。尚、第２障子７は、通常時には開放が規制されている固定窓であって、清掃時等にのみ開放可能な可動障子でもよい。尚、本発明は、２枚の障子に限定されるものではなく、例えば、第２障子７の下にさらに他の窓があってもよい。
【００１６】
第１障子６を備えた横すべり出し窓の構成について説明する。第１障子６は、下端側が室外側へ突出するようにアーム６０を介して回動自在に窓枠に設けられ、かつ、上端側の回動支軸６１が上下方向にスライド自在にガイド溝６２に支持されている。アーム６０の一端はブラケット６００を介して竪枠２、３に回動自在に連結されており、アーム６０の他端は第１障子６の側部に回動自在に連結されている。
【００１７】
窓枠の竪枠２、３には、第１障子６に対応する高さに位置して、第１連結桿８、８´が竪枠２、３に沿って上下方向に移動可能に設けてある（図２参照）。第１連結桿８は垂直状に延出しており、第１連結桿８の上端には第１障子６の回動支軸６１に係合するガイド板８０が設けてあり、第１連結桿８の上下動により、ガイド板８０によって第１障子６の回動支軸６１がガイド溝６２に沿って上下方向にスライドしながら、第１障子６が回動する。
【００１８】
第１連結桿８には、第１連結桿８を上下動可能に支持する支持機構が連結されている。支持機構は、左右の第１連結桿８、８´のそれぞれに上端部が回動自在に連結されたリンク８１と、リンク８１の下端部に上端部が回動自在に連結され、下端部が回動支点となる回動アーム８２と、からなる屈伸機構である。左右の支持機構は、左右の回動アーム８２の下端部の回動支点同士を連結する回動軸８３によって連動連結されている。
【００１９】
一方の第１連結桿８の下端側は、全閉状態にある第１障子６の下端、段窓無目５を越えて、さらに下方に延出しており、第１連結桿８の下端には、第１連結桿８と同様に垂直状に延出する第２連結桿９が、連結部材１０を介して、第１連結桿８の下端の下方に位置して連結されている。通常時において、第１連結桿８、第２連結桿９、連結部材１０は一体的に垂直状に延出しているが、第１連結桿８の下端と、第２連結桿９の上端とは、連結部材１０によって離間している。
【００２０】
連結部材１０は、その下端が第２連結桿９に回動軸１００によって回動可能に固定されており、上端側が第１連結桿８に係脱可能となっており、通常時には、連結部材１０の上方部位は第１連結桿８の下方部位に係止されている。第１連結桿８の下端側の側面には係止突起８４が突設されており（図示の態様では、係止突起８４は開口幅方向に突出している）、連結部材１０の上端側の室内側部位には係止突起８４に係止する係止凹部１０１が形成されている。係止凹部１０１は、垂直姿勢にある連結部材１０において、上下の水平辺と、底部の垂直辺と、室内側に面する開口と、から形成されている。垂直姿勢にある連結部材１０において、連結部材１０の室内側部位は、係止凹部１０１の上側に位置する上側垂直部１０３と、係止凹部１０１の下側の傾斜部１０４と、傾斜部１０４の下側に位置する下側垂直部１０５とからなる。
【００２１】
連結部材１０の下端の回動軸１００にはバネ１０２が設けてあり、連結部材１０を室内側へ回動させるように付勢している。連結部材１０は、基端側の回動付勢によって、上方部位が室外側へ倒れるように回動することを防止している。第２連結桿９の側面には、連結部材１０の下方部位に位置してストッパ１０６が設けてあり、通常時には、連結部材１０が垂直姿勢なった時に、連結部材１０の室内側部位の下側垂直部１０５がストッパ１０６に当接することで（図８（Ａ）、図１０参照）、垂直姿勢が維持されている。この時、連結部材１０の上端垂直部１０３は竪枠２の内壁に近接している。連結部材１０が垂直姿勢にある時に、係止凹部１０１が第１連結桿８の係止突起８４に係止する。係止凹部１０１と係止突起８４が係止状態にある時には、係止突起８４には上下から係止凹部１０１の水平辺が当接ないし近接しており、第１連結桿８と連結部材１０は一体で上下動する。連結部材１０の下端は第２連結桿９に回動のみを許容する態様で連結されており、したがって、係止凹部１０１と係止突起８４が係止状態にある時には、第１連結桿８、連結部材１０、第２連結桿９は一体で上下動する。
【００２２】
第２連結桿９は、第２障子７に沿って下枠４に近接するまで延出している。第２連結桿９の下方部位には、第２連結桿９を上下動させる作動機構が設けてある。作動機構は、竪枠２の室内側に設けられた操作部Ｓとしてのハンドル９０と、ハンドル９０の回転操作に連動して上下動するオペレータアーム９１と、一端が第２連結桿に回動自在に連結され、他端がオペレータアーム９１に回動自在に連結されている連結板９２と、からなり、オペレータアーム９１の上下回動に連動して連結板９２を介して第２連結桿９が上下動するようになっている。通常時には、係止凹部１０１と係止突起８４が係止状態にあり、操作部Ｓの操作によって、第１連結桿８、連結部材１０、第２連結桿９は一体で上下動する。
【００２３】
第１障子６の通常時の開閉動作について説明する。図５は横すべり出し窓の全閉状態を示し、第１障子６が閉鎖姿勢にあり、第１連結桿８、第２連結桿９、連結部材１０は、全閉姿勢である第１の高さ位置にある。この状態から、ハンドル９０を第１の方向（「開」方向）に回転させると、オペレータアーム９１が下方に回動して連結板９２を下方に移動させ、連結板９２が下方に移動することで、連結板９２に連結されている第２連結桿９が下方に移動し、連結部材１０を介して第２連結桿９と一体となっている第１連結桿８が、リンク８１と回動アーム８２を屈曲させながら下方に移動して、全開姿勢である第２の高さ位置となる。回動アーム８２が下方に回動することで、回動軸８３の回転が他方の第１連結桿８´の回動アーム及びリンクに伝達され、他方の第１連結桿８´も同時に下動する。
【００２４】
第１連結桿８、８´が下方に移動すると、第１障子６の回動支軸６１がガイド溝６２に案内されて下方にスライドしながら、アーム６０の上端が室外側に回動し、第１障子６は、垂直姿勢の全閉位置から上端側が降下しながら下端側が室外側にすべり出すように回動して、図６に示すような傾斜姿勢の全開位置となる。この時、第１連結桿８、第２連結桿９、連結部材１０は、全開姿勢である第２の高さ位置にある。ハンドル９０の回転操作によって、第１障子６を、０〜４５度の任意の角度で停止させることができる。本実施態様では、第１障子６が４５度の角度で室外側に回動した時が全開状態となる。図６の状態から、ハンドル９０を「閉」方向に回転させれば、第１連結桿８、第２連結桿９、連結部材１０は、一体で上動して、全閉姿勢である第１の高さ位置まで移動し、図５に示す全閉状態となる。
【００２５】
次に、第１障子６の非常時の開放について図７、図８に基づいて説明する。第１連結桿８の下端側と第２連結桿９の上端側との間には、第１連結桿８を、第２連結桿９に対して当該第１連結桿８を接近させる方向（第１連結桿８を下動させる方向、すなわち、閉鎖姿勢にある第１障子６を開放させる方向）に付勢する付勢手段としての圧縮バネ１１が設けてある。圧縮バネ１１の上端は第１連結桿８の下方部位に連結されており、圧縮バネ１１の下端は第２連結桿９の上方部位に連結されており、係止凹部１０１と係止突起８４が係止状態にある時には、連結部材１０によって第１連結桿８の下端と第２連結桿９の上端とは距離Ｄ１だけ離間しており、圧縮バネ１１は伸長状態にある。伸長状態にある圧縮バネ１１によって第１連結桿８には、第１連結桿８を下方に移動させるような力が作用しているが、第１連結桿８の係止突起８４が係止凹部１０１の下側の水平辺に当接することで、連結部材１０が突っ張って第１連結桿８の下方への移動が規制されている。
【００２６】
連結部材１０は、下端のバネ１０２によって、室内側へ回動するように付勢しており、連結部材１０の上方部位が室外側へ回動することを防止している。通常時には、連結部材１０の下側垂直部１０５がストッパ１０６に当接することで垂直姿勢が維持されている。
【００２７】
竪枠２には、第１障子６が通常の全閉状態にある時に、垂直姿勢で係止状態にある連結部材１０の上方部位（上記竪枠２の内壁に近接している室内側部位の上側垂直部１０３）の高さに対応する位置に解除ピン１３が出没可能に設けてある。竪枠２の室内側には、解除ピン１３を出没させるための非常時開放スイッチ１２が設けてある。解除ピン１３は、非常時開放スイッチ１２の操作によって、竪枠２の内壁から室外側へ突出した姿勢と、非常時開放スイッチ１２のボックス１２０内に退避した姿勢との間で移動可能となっている。スイッチの操作によってある部材を出没させる機構は当業者に周知であるので、詳細な説明は省略する。
【００２８】
図８（Ａ）は、第１障子６が全閉状態にある場合を示しており、第１連結桿、連結部材、第２連結桿は、第１の高さ位置にある。垂直姿勢にある連結部材１０の上方部位の係止凹部１０１に第１連結桿８の係止突起８４が室内側から室外側に向かって係止しており、第１連結桿８の下方部位は連結部材１０の上方部位と連結された状態にあり、第１連結桿８の下端と第２連結桿９の上端とが連結部材１０によって距離Ｄ１だけ離間しており、圧縮スプリング１１は伸長姿勢にある。連結部材１０の上方部位の室内側部位（上側垂直部１０３）は竪枠２の室内側面部の内壁に近接しており、解除ピン１３は室内側（ボックス１２０内）に退避した状態にある。ハンドル９０は「閉」方向に回し切った状態にある。
【００２９】
図８（Ａ）の状態から、非常時開放スイッチ１２を下方に移動させると（図８（Ｂ））、ボックス１２０内の解除ピン１３が室外側へ突出する。室外側へ突出した解除ピン１３は、連結部材１０の上端側の室内側部位（垂直部１０３）に当接し、連結部材１０の上端側を基端側のバネ１０２の付勢力に抗して室外側へ押圧することで、連結部材１０は下端側を回動支点として上端側が室外側へ倒れるように回動し、連結部材１０の係止凹部１０１が第１連結桿８の係止突起８４から外れて係止状態が解除される（図８（Ｃ））。
【００３０】
係止状態が解除されると、第１連結桿８の下動の移動規制が解除され、伸長状態にある圧縮スプリング１１が縮むことで、第２連結桿９の高さ位置（第１の高さ位置）は固定されているので（第２連結桿９の下方部位は、連結板９２、オペレータアーム９１、ハンドル９０に伝動連結されており、ハンドル９０を回転させないと移動しない）、第１連結桿８の下方部位が、圧縮スプリング１１の縮む力に引っ張られて、第１連結桿８が下方へ第２の高さ位置まで移動する（図８（Ｄ））。連結部材１０の上方部位と第１連結桿８の下方部位との連結が解除され、圧縮スプリング１１が縮むことで、第１連結桿８の下端と第２連結桿９の上端とは接近（距離Ｄ２）した状態となる。この時、ハンドル９０は「閉」方向に回し切った状態のままである。
【００３１】
圧縮スプリング１１の縮小による第１連結桿８の下方への移動量（Ｄ１−Ｄ２）は、第１障子６を全閉状態から全開状態まで回動（４５度）するように設定されており、非常時開放スイッチ１２を下方に移動させるというワンタッチ操作で、第１障子６を迅速に全開状態として、排煙開口を確保することができる。非常時の開放時の第１連結桿８の移動量は、予め、連結部材１０の長さ、連結部材１０によって設定された第１連結桿８の下端と第２連結桿９の上端との離間距離、伸長状態からの圧縮スプリング１１の圧縮量等を調整することで、設定することができる。通常時に、全閉姿勢にある窓障子６が全開姿勢となるまでにハンドル９０の回転操作によって第１連結桿８が下方に移動する移動量と、非常時に、閉鎖姿勢にある窓障子６が全開姿勢となるまでに圧縮スプリング１１の縮小によって第１連結桿８が下方に移動する移動量と、は同じである。図６と図７を見比べると、いずれの全閉状態においても、第１連結桿８の下端の高さ位置が同じであることがわかる。
【００３２】
図７、図８（Ｄ）に示す非常時全開状態からの連結部材１０の復帰について説明する。図７、図８（Ｄ）に示す非常時全開状態において、第２連結桿９は図５に示す全閉状態における第２連結桿９の高さと同じ位置（第１の高さ位置）にある。ハンドル９０は「閉」方向に回し切った状態にある。第１連結桿８は第２の高さ位置にあり、第１連結桿８は、その機構上、それより下方に移動することはない。
【００３３】
図８（Ｄ）の状態から、非常時開放スイッチ１２を上方に移動させると、突出姿勢にある解除ピン１３が室内側（ボックス１２０内）へ退避する（図９（Ａ）、（Ｂ））。非常時開放スイッチ１２、解除ピン１３は、ボックス１２０内にバネ等を内蔵することによって、非常時開放後に元の位置に自動復帰するように構成してもよい。第１連結桿８の係止突起８４は、連結部材１０の室内側部位（傾斜部１０４）の高さ方向中途部位に当接している。
【００３４】
この状態からハンドル９０を第１の方向（「開」方向）に回転させて第２連結桿９を下方に移動させる。第２連結桿９が下方に移動すると、圧縮スプリング１１が伸長されていき、係止状態が解除されて上端が自由となっている連結部材１０も下方に移動する。第２の高さ位置にある第１連結桿８に対して第２連結桿９のみが下方に移動することで、第１連結桿８の下端と第２連結桿９の上端との距離は、距離Ｄ２→Ｄ２´→Ｄ１と徐々に大きくなっていく（図９（Ａ）（Ｂ）（Ｃ））。
【００３５】
連結部材１０は下端の回動基端部に設けたバネ１０２によって室内側に回動するように付勢されており、連結部材１０の室内側部位（傾斜部１０４）は第１連結桿８の係止突起８４に当接しており、連結部材１０は室内側部位（傾斜部１０４）が係止突起８４に摺接・案内されながら下方に移動する（図９（Ｂ））。
【００３６】
第２連結桿９が通常の全開状態の位置（第２の高さ位置）まで下動すると、第１連結桿８の下端と第２連結桿９の上端との距離はＤ１となり、連結部材１０の室内側部位（傾斜部１０４）の上方に形成されている係止凹部１０１が第１連結桿８の係止突起８４に係止して垂直姿勢となって、図５、図９（Ｃ）に示す通常の全開状態となる。すなわち、第１連結桿８、第２連結桿９、連結部材１０は、一体で全開姿勢である第２の高さ位置にある。
【００３７】
この状態から、ハンドル９０を第２の方向（「閉」方向）に回転させて、第１連結桿８、連結部材１０、第２連結桿９を一体で第１の高さ位置まで上動させて、全開状態にある窓障子６を全閉状態とする（図９（Ｄ））。
【００３８】
上記の実施形態では、窓障子が全閉状態にある時（すなわち、第１連結桿８が第１の高さ位置にある時であり、ハンドル９０が「閉」方向に回し切った状態にある時でもある）に、非常時開放手段によって連結部材１０の上方部位と第１連結桿８の下方部位との連結を解除するものについて説明した。本発明に係る窓障子の開放機構を用いた非常時開放は、窓障子が全閉状態にある場合にのみ作動するものではなく、窓障子が開放途中にある場合にも作動するようにしてもよい。これについて図１０に基づいて説明する。図１０において、他の図面との間で共通する構成要素については同一の参照番号が付してあり、他の図面での記載を援用することができる。図１０は、第１連結桿８、連結部材１０´、第２連結桿９が第１の高さ位置と第２の高さ位置との中間の高さに位置する場合を示している。この高さ位置では、窓障子（図示せず）は半開きの状態となる。図１０から明らかなように、連結部材１０´の上方部位は、連結部材１０の上方部位に比べて上方に延出している。連結部材１０´の室内側部位の上方の垂直部１０３´は、解除ピン１３の高さ位置まで延びている。したがって、図１０の状態で、非常時開放スイッチ１２を下方に下げて解除ピン１３を突出させることで、解除ピン１３が連結部材１０´の垂直部１０３´を押し出して、連結部材１０´の係止凹部１０１が第１連結桿８の係止突起から外れて、圧縮スプリング１１に引っ張られて第１連結桿８が下方に移動して第２の高さ位置となり、窓障子が全開状態となる。
【産業上の利用可能性】
【００３９】
本発明は、窓開口部の少なくとも一方の竪枠に沿って上下動可能に設けた連結桿の上下動に連動して開閉するように構成されている窓障子の開放機構として利用することができる。
【符号の説明】
【００４０】
２  竪枠
６  第１障子
７  第２障子
８  第１連結桿
９  第２連結桿
１０  連結部材
１１  圧縮スプリング
１２  非常時開放スイッチ
１３  解除ピン
【図１】
2011074662.tif 000003
【図２】
2011074662.tif 000004
【図３】
2011074662.tif 000005
【図４】
2011074662.tif 000006
【図５】
2011074662.tif 000007
【図６】
2011074662.tif 000008
【図７】
2011074662.tif 000009
【図８】
2011074662.tif 000010
【図９】
2011074662.tif 000011
【図１０】
2011074662.tif 000012